(57)【要約】【課題】画像表示装置の視認性を向上させ、且つ、画像表示装置の消費電力の増加を抑制する。【解決手段】プロセッサと接続可能な画像表示装置１０は、画像および画像を覆うマスクを表示するための表示モジュール１０２Ａ、ならびにユーザに触られた位置を示すタッチポジションを検出するためのタッチパネル１０２Ｂを有する表示部１０２と、表示部１０２を制御するための表示制御部１０１と、を備えている。表示制御部１０１は、  タッチパネル１０２Ｂによって検出されたタッチポジションを受け取り、このタッチポジションのアドレスを生成するためのアドレス生成部１０１Ｂと、アドレス生成部１０１Ｂによって生成されたアドレスおよびマスクに関するマスク情報を記憶するための１０１Ａ記憶部と、記憶部１０１Ａに記憶されたアドレスおよびマスク情報に基づいて画定されるマスク領域に表示させるためのマスクデータを生成するデコーダ１０１Ｇと、を有する。【選択図】図２
2009300657.tif 000002
【特許請求の範囲】
【請求項１】
プロセッサと接続可能な画像表示装置であって、
画像および前記画像を覆うマスクを表示するための表示モジュール、ならびにユーザに触られた位置を示すタッチポジションを検出するためのタッチパネルを有する表示部と、
前記表示部を制御するための表示制御部と、を備え、
前記表示制御部は、
前記タッチパネルによって検出されたタッチポジションを受け取り、このタッチポジションのアドレスを生成するためのアドレス生成部と、
前記アドレス生成部によって生成されたアドレスおよび前記マスクに関するマスク情報を記憶するための記憶部と、
前記記憶部に記憶されたアドレスおよびマスク情報に基づいて画定されるマスク領域に表示させるためのマスクデータを生成するデコーダと、を有することを特徴とする画像表示装置。
【請求項２】
前記アドレス生成部は、前記タッチポジションのラインアドレスを生成する請求項１に記載の画像表示装置。
【請求項３】
前記デコーダは、前記マスク領域より前の領域に表示するための第１マスクと、前記マスク領域より後の領域に表示するための第２マスクと、を生成する請求項２に記載の画像表示装置。
【請求項４】
前記マスク情報は、前記マスクの色およびライン数を含む請求項１乃至３の何れか１項に記載の画像表示装置。
【請求項５】
前記記憶部は、マスクモードのオン設定／オフ設定をさらに記憶し、
前記アドレス生成部は、前記記憶部にオン設定が記憶されている場合に、前記アドレスを生成する請求項１乃至４の何れか１項に記載の画像表示装置。
【発明の詳細な説明】
【技術分野】
【０００１】
本発明は、画像表示装置に関し、特に、携帯端末などに設けられる小型表示部を備える画像表示装置に関する。
【背景技術】
【０００２】
近年、携帯電話などの携帯端末に文字を表示するための小型化の表示部を備える画像表示装置が設けられている。一般的には、携帯端末の表示部は、デスクトップコンピュータの表示部に比べて小さいので、携帯端末の表示部に表示される画像はデスクトップコンピュータのそれに比べて小さい。そのため、携帯端末の表示部の視認性が低下するという問題がある。特に、文書が表示されるときには、小さな表示部に複数の行にわたる文字が連続的に表示されるので、文字の視認性が極めて低いという問題がある。
【０００３】
これらの問題は、近年の携帯端末に小型化に伴う表示部の小型化や、表示部の高精細化に伴う表示量（文字数）の増加によって、この問題はますます顕著化している。また、これらの問題は、高齢者などの目の不自由なユーザに対しては極めて深刻なものである。
【０００４】
これに対して、特許文献１および特許文献２の技術が知られている。
【０００５】
特許文献１の技術は、画像を全体的に拡大表示するためのものである。しかし、この技術は、表示された画像を拡大するに過ぎないので、文章の視認性を向上させるものではない。また、この技術は、ユーザに複雑な操作を課すので、高齢者などのユーザにとっては、操作が煩雑になってしまうという問題がある。また、この技術は、画像を拡大することによって表示部に表示される情報量が低下するという問題がある。
【０００６】
また、特許文献２の技術は、ユーザがスタイラスペンなどを用いて選択した文章の選択範囲を記憶することによって、この選択範囲に対応する文章に視認性を向上させるためのマスクを表示するものである。しかし、特許文献２の技術は、選択範囲を記憶する処理およびこの記憶された選択範囲を読み出す処理がプロセッサに課されるので、画像表示装置の消費電力が増加するという問題がある。
【０００７】
以上のことから、従来の技術では、携帯端末などに設けられる小型表示部を備える画像表示装置の視認性を向上させ、且つ、画像表示装置の消費電力の増加を抑制することはできない。
【特許文献１】特開２００４−１８５３７０号公報
【特許文献２】特開２００６−２４４０４８号公報
【発明の開示】
【発明が解決しようとする課題】
【０００８】
本発明の目的は、画像表示装置の視認性を向上させ、且つ、画像表示装置の消費電力の増加を抑制することである。
【課題を解決するための手段】
【０００９】
本発明の第１態様によれば、プロセッサと接続可能な画像表示装置であって、画像および前記画像を覆うマスクを表示するための表示モジュール、ならびにユーザに触られた位置を示すタッチポジションを検出するためのタッチパネルを有する表示部と、前記表示部を制御するための表示制御部と、を備え、前記表示制御部は、前記タッチパネルによって検出されたタッチポジションを受け取り、このタッチポジションのアドレスを生成するためのアドレス生成部と、前記アドレス生成部によって生成されたアドレスおよび前記マスクに関するマスク情報を記憶するための記憶部と、前記記憶部に記憶されたアドレスおよびマスク情報に基づいて画定されるマスク領域に表示させるためのマスクデータを生成するデコーダと、を有することを特徴とする画像表示装置が提供される。
【発明の効果】
【００１０】
本発明によれば、画像表示装置の視認性を向上させ、且つ、画像表示装置の消費電力の増加を抑制することができる。
【発明を実施するための最良の形態】
【００１１】
以下、本発明の実施例について図面を参照して説明する。なお、以下の実施例は、本発明の実施の一形態であって、本発明の範囲を限定するものではない。
【実施例１】
【００１２】
はじめに、本発明の実施例１について説明する。本発明の実施例１は、ＣＰＵの負荷を増加させることなく、画像データおよびマスクを表示する例である。
【００１３】
まず、本発明の実施例１に係る画像表示装置の構成について図１〜図３を参照して説明する。
【００１４】
図１は、本発明の実施例１に係る画像表示装置を含むシステムの構成を示すブロック図である。
【００１５】
図１に示されるように、このシステムは、画像表示装置１０、メモリ１２、入力装置１４、およびＣＰＵ（Central Processing Unit）１６を備えている。たとえば、このシステムは、携帯電話などの携帯端末などに設けられるシステムである。
【００１６】
画像表示装置１０は、表示制御部１０１および表示部１０２を備えている。表示制御部１０１は、ＣＰＵ１６および表示部１０２に接続されている。表示部１０２は、表示制御部１０１に接続されている。画像表示装置１０の詳細な説明は後述する。たとえば、画像表示装置１０は、携帯電話などの携帯端末に設けられる液晶表示装置である。
【００１７】
メモリ１２は、ＣＰＵ１６に接続されている。また、メモリ１２は、制御プログラム１２Ａおよび画像データ１２Ｂを含む様々なデータを記憶するようになっている。制御プログラム１２Ａは、ＣＰＵ１６がこのシステムを制御するときに起動するためのプログラムである。画像データ１２Ｂは、画像表示装置１０に表示させるためのデータである。たとえば、メモリ１２は、ＲＡＭ（Random Access Memory）などのコンピュータ読取可能な記憶媒体である。
【００１８】
入力装置１４は、ＣＰＵ１６に接続されている。また、入力装置１４は、画像表示装置１０の処理に関するユーザの指示を受け付け、その指示をＣＰＵ１６に送るようになっている。入力装置１４によって受け付けられるユーザの指示には、後述のマスクモードのオン設定／オフ設定、マスク領域に表示されるマスクの表示ライン数（以下、「マスクライン数」という）、およびマスク領域に表示されるマスクの表示色（以下、「マスク色」という）に関する指示が含まれている。マスク色は、画像データ１２Ｂが黒字の文章である場合には、薄い灰色が好ましい。また、マスク色は、薄い灰色などのマスク部分の色に加えて、背景と同じ色の余白部分の色を含むことが好ましい。たとえば、入力装置１４は、キーボードやマウスなどのユーザインタフェースである。
【００１９】
ＣＰＵ１６は、画像表示装置１０、メモリ１２、入力装置１４、および表示制御部１０１に接続されている。また、ＣＰＵ１６は、メモリ１２に記憶された制御プログラム１２Ａを起動することによって、このシステムを制御する。また、ＣＰＵ１６は、メモリ１２に記憶された画像データ１２Ｂを読み出し、その画像データ１２Ｂを表示制御部１０１に送る。また、ＣＰＵ１２は、入力装置１６から送られたユーザの指示を受け取り、その指示を表示制御部１０１に送る。
【００２０】
図２は、図１の表示制御部１０１および表示部１０２の構成を示すブロック図である。
【００２１】
表示制御部１０１は、記憶部１０１Ａ、アドレス生成部１０１Ｂ、表示用ＲＡＭ１０１Ｃ、タイミングコントローラ１０１Ｄ、γ回路１０１Ｅ、ラッチ回路１０１Ｆ、デコーダ１０１Ｇ、および出力回路１０１Ｈを備えている。
【００２２】
表示部１０２は、液晶パネル１０２Ａ、タッチパネル１０２Ｂ、およびＬＥＤ（Light Emitting Diode）１０２Ｃを備えている。
【００２３】
記憶部１０１Ａは、アドレス生成回路１０１Ｂ、タイミングコントローラ１０１Ｄ、およびγ回路１０１Ｅに接続されている。記憶部１０１Ａは、図３に示されるように、マスクモードを記憶するための第１レジスタＲ１、マスクが表示される領域（以下、「マスク領域」という）の先頭アドレス（以下、「マスク先頭アドレス」という）を記憶するための第２レジスタＲ２、ならびにマスクライン数やマスク色などのマスク情報を記憶するための第３および第４レジスタＲ３，Ｒ４を備え、ＣＰＵ１６、アドレス生成回路１０１Ｂ、タイミングコントローラ１０１Ｄ、およびγ回路１０１Ｅに接続されている。第１レジスタＲ１は、ＣＰＵ１６から送られたユーザの指示に対応するマスクモードのオン設定／オフ設定を記憶するようになっている。また、第２レジスタＲ２は、アドレス生成回路１０１Ｂから送られたマスク先頭アドレスを記憶するようになっている。また、第３レジスタＲ３は、ＣＰＵ１６から送られたユーザの指示に対応するマスクライン数を記憶するようになっている。また、第４レジスタＲ４は、ＣＰＵ１６から送られたユーザの指示に対応するマスク色を記憶するようになっている。
【００２４】
アドレス生成回路１０１Ｂは、記憶部１０１Ａおよびタッチパネル１０２Ｂに接続されている。また、アドレス生成回路１０１Ｂは、第１レジスタＲ１にマスクモードのオン設定が記憶されている場合に、タッチパネル１０２Ｂから送られたタッチポジションの座標データを受け取り、この座標データをマスク先頭アドレスに変換し、このマスク先頭アドレスを第２レジスタＲ２に書き込むようになっている。たとえば、座標データが（Ｘ，Ｙ）である場合には、マスク先頭アドレスは（０，Ｙ）である。
【００２５】
表示用ＲＡＭ１０１Ｃは、タイミングコントローラ１０１Ｄおよびラッチ回路１０１Ｆに接続されている。また、表示用ＲＡＭ１０１Ｃは、ＣＰＵ１６から送られた画像データ１２Ｂを記憶するようになっている。
【００２６】
タイミングコントローラ１０１Ｄは、記憶部１０１Ａ、表示用ＲＡＭ１０１Ｃ、γ回路１０１Ｅ、ラッチ回路１０１Ｆ、およびデコーダ１０１Ｇに接続されている。また、タイミングコントローラ１０１Ｄは、記憶部１０１Ａ、表示用ＲＡＭ１０１Ｃ、γ回路１０１Ｅ、ラッチ回路１０１Ｆ、およびデコーダ１０１Ｇの制御を行う。
【００２７】
γ回路１０１Ｅは、記憶部１０１Ａ、タイミングコントローラ１０１Ｄ、およびデコーダ１０１Ｇに接続されている。γ回路１０１Ｅは、第４レジスタＲ４に記憶されたマスク色に基づいてγ補正を行うことによってマスクデータを生成し、このマスクデータをデコーダ１０１Ｇに送るようになっている。
【００２８】
ラッチ回路１０１Ｆは、表示用ＲＡＭ１０１Ｃ、タイミングコントローラ１０１Ｄ、およびデコーダ１０１Ｇに接続されている。ラッチ回路１０１Ｆは、表示用ＲＡＭ１０１Ｃに記憶された画像データ１２Ｂを読み出し、この画像データ１２Ｂを一時的に記憶するようになっている。
【００２９】
デコーダ１０１Ｇは、タイミングコントローラ１０１Ｄ、ラッチ回路１０１Ｆ、γ回路１０１Ｅ、および出力回路１０１Ｈに接続されている。また、デコーダ１０１Ｇは、第１および第３レジスタに記憶されたマスク先頭アドレスおよびマスクライン数に基づいて画定されるマスク領域にマスクを表示させる場合に、γ回路１０１Ｅから送られたマスクデータを受け取り、このマスクデータの階調電圧を選択することによって階調処理を行い、階調処理が行われた後のマスクデータを出力回路１０１Ｈに送るようになっている。また、デコーダ１０１Ｇは、マスク領域以外の領域（以下、「背景領域」という）に画像を表示させる場合に、ラッチ回路１０１Ｆに記憶された画像データ１２Ｂを読み出し、この画像データ１２Ｂの階調電圧を選択することによって階調処理を行い、階調処理が行われた後の画像データ１２Ｂを出力回路１０１Ｈに送るようになっている。
【００３０】
出力回路１０１Ｈは、デコーダ１０１Ｇおよび液晶パネル１０２Ａに接続されている。また、出力回路１０１Ｈは、デコーダ１０１Ｇから画像データ１２Ｂが送られた場合には、この画像データ１２Ｂを液晶パネル１０２Ａに送り、デコーダ１０１Ｇからマスクデータが送られた場合には、このマスクデータを液晶パネル１０２Ａに送るようになっている。
【００３１】
液晶パネル１０２Ａは、出力回路１０１Ｈに接続されている。また、液晶パネル１０２Ａは、出力回路１０１Ｈから送られた画像データ１２Ｂおよびマスクデータを表示するようになっている。
【００３２】
タッチパネル１０２Ｂは、ユーザによって触られた位置（以下、「タッチポジション」という）を検出し、検出されたタッチポジションをアドレス生成回路１０１Ｂに送るようになっている。たとえば、タッチパネル１０２Ｂは、ユーザの指またはスタイラスペンが触れた位置の座標をタッチポジションとして検出する。
【００３３】
ＬＥＤ１０２Ｃは、所定色の光を発行するバックライトである。ＬＥＤ１０２Ｃによって発光された所定色の光は、液晶パネル１０２Ａの裏側から照射される。
【００３４】
次に、本発明の実施例１に係る画像表示装置１０の処理内容について図４〜図６を参照して説明する。
【００３５】
図４は、本発明の実施例１に係る表示処理の処理手順を示すフローチャートである。
【００３６】
はじめに、タッチポジション検出工程（Ｓ４０１）が行われる。タッチポジション検出工程（Ｓ４０１）では、図５に示されるように、タッチパネル１０２Ｂが、ユーザによって触られた位置の座標（Ｘ，Ｙ）をタッチポジションとして検出し、そのタッチポジションをアドレス生成回路１０１Ｂに送る。
【００３７】
次に、アドレス生成工程（Ｓ４０２）が行われる。アドレス生成工程（Ｓ４０２）では、アドレス生成回路１０１Ｂが、タッチポジション検出工程（Ｓ４０１）においてタッチパネル１０２Ｂから送られたタッチポジションに対応するラインの先頭アドレス（０，Ｙ）をマスク先頭アドレスとして第２レジスタＲ２に書き込む。
【００３８】
次に、レジスタ参照工程（Ｓ４０３）が行われる。レジスタ参照工程（Ｓ４０３）では、第１〜第４レジスタＲ１〜Ｒ４に記憶されたデータが参照される。
【００３９】
第１レジスタＲ１に記憶されたマスクモードが「ＯＮ」である場合には（Ｓ４０４−ＹＥＳ）、マスク領域画定工程（Ｓ４０５）が行われる。マスク領域画定工程（Ｓ４０５）では、第２レジスタＲ２に記憶されたマスク先頭アドレスおよび第３レジスタに記憶されたマスクライン数に基づいてマスク領域が画定される。たとえば、第２レジスタＲ２に記憶されたマスク先頭アドレスが（０，Ｙ）であり、第３レジスタＲ３に記憶されたマスクライン数が３である場合には、｛（０，Ｙ），（０，Ｙ＋２）｝がマスク領域として画定される。
【００４０】
次に、マスクデータ生成工程（Ｓ４０６）が行われる。マスクデータ生成工程（Ｓ４０６）では、γ回路１０１Ｅが、第４レジスタＲ４に記憶されたマスク色に基づいてγ補正を行うことによってマスクデータを生成する。このマスクデータは、デコーダ１０１Ｇおよび出力回路１０１Ｈを介して液晶パネル１０２Ａに送られる。
【００４１】
次に、マスク表示工程（Ｓ４０７）が行われる。マスク表示工程（Ｓ４０７）では、液晶パネル１０２Ａが、マスク領域画定工程（Ｓ４０５）において画定されたマスク領域に出力回路１０１Ｈから送られたマスクデータを表示し、背景領域に出力回路１０１Ｈから送られた画像データ１２Ｂを表示する。その結果、図６に示されるように、液晶パネル１０２Ａは、マスク領域にマスクが表示され、マスク領域を挟むように位置する背景領域に画像が表示されたような状態となる。
【００４２】
本発明の実施例１に係るマスク表示処理は、第１レジスタＲ１に記憶されたマスクモードが「ＯＦＦ」である場合（Ｓ４０４−ＮＯ）またはマスク表示工程（Ｓ４０７）の後に終了する。
【００４３】
次に、本発明の実施例１の変形例について図４および図７を参照して説明する。
【００４４】
本発明の実施例１の変形例では、本発明の実施例１と同様にタッチポジション検出工程（Ｓ４０１）〜Ｓ４０４が行われた後に、マスク領域画定工程（Ｓ４０５）において、第２レジスタＲ２に記憶されたマスク先頭アドレスおよび第３レジスタに記憶されたマスクライン数に基づいて第１および第２マスク領域が画定される。たとえば、第２レジスタＲ２に記憶されたマスク先頭アドレスが（０，Ｙ）であり、第３レジスタＲ３に記憶されたマスクライン数が３である場合には、マスク領域より前の領域である｛（０，０），（０，Ｙ−１）｝が第１マスク領域として画定され、マスク領域より後の領域である｛（０，Ｙ），（０，Ｙ＋２）｝が第２マスク領域として画定される。
【００４５】
本発明の実施例１と同様のマスクデータ生成工程（Ｓ４０６）が行われた後に、マスク表示工程（Ｓ４０７）が行われる。マスク表示工程（Ｓ４０７）では、液晶パネル１０２Ａが、マスク領域画定工程（Ｓ４０５）において画定された第１および第２マスク領域に出力回路１０１Ｈから送られたマスクデータを表示し、背景領域に出力回路１０１Ｈから送られた画像データ１２Ｂを表示する。その結果、図７に示されるように、液晶パネル１０２Ａは、マスク領域にマスクが表示され、マスク領域を挟むように位置する背景領域に画像が表示されたような状態となる。
【００４６】
本発明の実施例１によれば、表示制御部１０１に設けられたアドレス生成回路１０１Ｂが、タッチパネル１０２Ｂから送られたタッチポジションに基づいてマスク領域を画定するためのマスク先頭アドレスを生成するので、液晶パネル１０２Ａにマスクを表示する際にＣＰＵ１６の負荷がほとんど発生しない。その結果、画像表示装置１０の視認性を向上させ、且つ、画像表示装置１０の消費電力の増加を抑制することができる。具体的には、図６に示されるように、ユーザが触った位置から所定行分にマスクが表示されるので、その前後に表示された文字の視認性が向上する。このことは、携帯端末などに設けられる小型の画像表示装置１０に文章が表示される場合には、ユーザが容易に所定行に焦点を合わせられるという点において有益である。
【００４７】
また、本発明の実施例１によれば、ユーザが触った位置を挟む第１および第２マスク領域に第１および第２マスクが表示されるので、所定行の視認性をより向上させることができる。
【図面の簡単な説明】
【００４８】
【図１】本発明の実施例１に係る画像表示装置を含むシステムの構成を示すブロック図である。
【図２】図１の表示制御部１０１および表示部１０２の構成を示すブロック図である。
【図３】第１レジスタＲ１乃至第４レジスタＲ４に記憶されるデータのデータ構造を示すブロック図である。
【図４】本発明の実施例１に係る表示処理の処理手順を示すフローチャートである。
【図５】本発明の実施例１に係る表示部１０２の一例を示す概略図である。
【図６】本発明の実施例１に係る表示部１０２の表示例を示す概略図である。
【図７】本発明の実施例１の変形例に係る表示部１０２の表示例を示す概略図である。
【符号の説明】
【００４９】
１０  画像表示装置、１０１  表示制御部、１０１Ａ  記憶部、１０１Ｂ  アドレス生成回路、１０１Ｃ  表示用ＲＡＭ、１０１Ｄ  タイミングコントローラ、１０１Ｅ  γ回路、１０１Ｆ  ラッチ回路、１０１Ｇ  デコーダ、１０１Ｈ  出力回路、１０２  表示部、１０２Ａ  液晶パネル、１０２Ｂ  タッチパネル、１０２Ｃ  ＬＥＤ、１２  メモリ、１４  入力装置、１６  ＣＰＵ
【図１】
2009300657.tif 000003
【図２】
2009300657.tif 000004
【図３】
2009300657.tif 000005
【図４】
2009300657.tif 000006
【図５】
2009300657.tif 000007
【図６】
2009300657.tif 000008
【図７】
2009300657.tif 000009